(57)【要約】【課題】  つまみ部の操作により、スライド式ロック片をスライドしながら吸込グリルをロックする際、ロックする途中のスライド時に手指が感じる操作感と、スライドを終えたロック時に手指が感じる操作感とに、手応え（抵抗感）としての明らかな差異が感じられるようにして、吸込グリルの開閉を実感できるクリック感をもたせて操作性を高めるようにした構造でなる天井埋込型の空気調和機を提供する。【解決手段】  吸込グリル５の裏面に、前記スライド式ロック片１２のスライド方向に延びる凸条部１１を備えたガイド部材１０を設け、前記スライド式ロック片１２が、前記凸条部１１を押圧しながらスライドする押圧片１３を備え、前記吸込グリル５と前記ガイド部材１０との間に介装される構成にした。【選択図】  図４
2008064342.tif 000002
【特許請求の範囲】
【請求項１】
化粧パネルの一側にヒンジ結合されるとともに、同化粧パネル他側の係止部にスライド式ロック片が係止される吸込グリルを備えた空気調和機において、
前記吸込グリルの裏面に、前記スライド式ロック片のスライド方向に延びる凸条部を備えたガイド部材を設け、前記スライド式ロック片が、前記凸条部を押圧しながらスライドする押圧片を備え、前記吸込グリルと前記ガイド部材との間に介装されてなることを特徴とする空気調和機。
【請求項２】
前記押圧片は、前記スライド式ロック片が前記係止部に係止した状態から離脱するまでのスライド時および、または離脱した状態から係止するまでのスライド時に前記凸条部を押圧することを特徴とする請求項１に記載の空気調和機。
【発明の詳細な説明】
【技術分野】
【０００１】
本発明は、天井埋込型の空気調和機に係わり、より詳細には、化粧パネルに吸込グリルを固定するためのスライド式のロック構造に関する。
【背景技術】
【０００２】
従来の天井埋込型の空気調和機は、化粧パネルの係止部に係止されるスライド式ロック片を、吸込グリルの桟に沿ってスライド可能に形成することにより、吸込グリルからスライド式ロック片を取り外した場合でも、吸込グリルの桟に欠落部が残らないようにするものとして、
ヒンジ部を介して吸込グリルが回動されて、吸込グリルが閉じられた時には、吸込グリルに設けられた一対のスライド式ロック片が化粧パネルの係止部（穴）に係止されることにより、吸込グリルは化粧パネルに固定される。スライド式ロック片には、一対のつまみ部が形成されており、この一対のつまみ部は、夫々吸込グリルの桟の間を貫通して、吸込グリルの表側に突出し、このつまみ部の操作により、スライド式ロック片はスライドされる。吸込グリルをロックした時、スライド式ロック片を固定することが望ましい、とするものが開示されていた（例えば、特許文献１参照。）。
【０００３】
しかしながら、つまみ部の操作により、スライド式ロック片をスライドしながら吸込グリルをロックする際、ロックする途中のスライド時に手指が感じる操作感と、スライドを終えたロック時に手指が感じる操作感とに、手応え（抵抗感）としての明らかな差異を感じにくいことから、開閉を実感できるクリック感（切れ味）が不足しているという点で操作性に問題があった。
【特許文献１】特許第３７９５９５７号公報
【発明の開示】
【発明が解決しようとする課題】
【０００４】
そこで、本発明は上述した課題を解決するためになされたものであって、その目的は、つまみ部の操作により、スライド式ロック片をスライドしながら吸込グリルをロックする際、ロックする途中のスライド時に手指が感じる操作感と、スライドを終えたロック時に手指が感じる操作感とに、手応え（抵抗感）としての明らかな差異が感じられるようにして、吸込グリルの開閉を実感できるクリック感をもたせて操作性を高めるようにした構造でなる天井埋込型の空気調和機を提供することにある。
【課題を解決するための手段】
【０００５】
上述した目的を達成するため、本発明は以下に示す特徴を備えている。
【０００６】
化粧パネルの一側にヒンジ結合されるとともに、同化粧パネル他側の係止部にスライド式ロック片が係止される吸込グリルを備えた空気調和機において、
前記吸込グリルの裏面に、前記スライド式ロック片のスライド方向に延びる凸条部を備えたガイド部材を設け、前記スライド式ロック片が、前記凸条部を押圧しながらスライドする押圧片を備え、前記吸込グリルと前記ガイド部材との間に介装されてなることを特徴としている。
【０００７】
また、前記押圧片は、前記スライド式ロック片が前記係止部に係止した状態から離脱するまでのスライド時および、または離脱した状態から係止するまでのスライド時に前記凸条部を押圧することを特徴としている。
【発明の効果】
【０００８】
本発明によれば、吸込グリルの裏面に、スライド式ロック片のスライド方向に延びる凸条部を備えたガイド部材を設け、前記スライド式ロック片が、前記凸条部を押圧しながらスライドする押圧片を備え、前記吸込グリルと前記ガイド部材との間に介装されて、つまみ部の操作により前記スライド式ロック片をスライドしながら吸込グリルをロックする際、ロックする途中のスライド時に手指が感じる操作感と、スライドを終えたロック時に手指が感じる操作感とに、手応え（抵抗感）としての明らかな差異が感じられるようにして、吸込グリルの開閉を実感できるクリック感をもたせて操作性を高めるようにした空気調和機となる。
【発明を実施するための最良の形態】
【０００９】
次に、本発明の実施形態について図面を参照しながら説明する。
【００１０】
図１は本発明による天井埋込型の空気調和機を示す説明図で、（Ａ）は縦断面図、（Ｂ）は要部斜視図であり、図２は吸込グリルにスライド式ロック片を取り付ける取付状態を示す説明図で、（Ａ）は分解斜視図、（Ｂ）は要部平面図であり、図３は吸込グリルの説明図で、（Ａ）は斜視図、（Ｂ）は要部斜視図、（Ｃ）は要部平面図であり、図４はスライド式ロック片およびホルダからなる吸込グリルロック装置の説明図で、（Ａ）は分解斜視図、（Ｂ）はロック状態を示す断面図、（Ｃ）はロックを解除している状態を示す断面図、（Ｄ）はロックを解除した状態を示す断面図である。
【００１１】
本発明による天井埋込型の空気調和機は、図１（Ａ）および図１（Ｂ）に示すように、被空調室の天井面上部にケーシング本体１が図示しない吊下部材によって天井面上部に吊下設置されるとともに、同ケーシング本体１の下面に、中央に吸込口６を備え、その周囲に吹出口７を備えた化粧パネル２が装着され、前記吸込口６には吸込グリル５が取り付けられた構成になっている。
【００１２】
前記吸込口６と前記吹出口７とを結ぶ空気通路には、前記吸込グリル５を臨ませた空気清浄用のフィルタ１５と、送風ファン（ターボファン）８と、同送風ファン８を囲むように配置された熱交換器９とが設けられ、前記吸込口６から吸い込まれた空気を前記熱交換器９により熱交換したのち、前記吹出口７から被空調室に吹き出すことによって空気調和を行なう。
【００１３】
前記吸込グリル５は、図１（Ａ）および図２（Ａ）に示すように、前記化粧パネル２に設けられた前記吸込口６の一側に、ヒンジ部３によって回動可能にヒンジ結合される一方、前記化粧パネル２の吸込口６の他側に設けられた係止部４にスライド式ロック片１２が係止されることによって、前記吸込口６に取り付けられるようになっている。
【００１４】
そして、例えば前記フィルタ１５のメンテナンス時には、前記吸込グリル５の他側に設けられた前記スライド式ロック片１２を前記係止部４から離脱させたのち、前記ヒンジ部３を中心に前記吸込グリル５を回動させることにより下方を開放して、前記フィルタ１５の取り外しあるいは取り付けを行なえるようになっている。
【００１５】
前記ヒンジ部３と、前記係止部４および前記スライド式ロック片１２とは夫々複数づつ設けられており、これによって、前記化粧パネル２に対する前記吸込グリル５の取付状態を安定させ、また、前記ヒンジ部３を中心に前記吸込グリル５を円滑に回動できるようになり、また、前記吸込グリル５の傾きや遊び（ガタ）を少なくした安定した支持構造になっている。
【００１６】
次に、図２（Ａ）および図２（Ｂ）を参照して、前記ガイド部材１０および前記スライド式ロック片１２の取付状態を説明すると、前記吸込グリル５の裏側には、一対のボス部５ｂが一体に形成され、このボス部５ｂには前記スライド式ロック片１２のスライド方向に延びる凸条部１１を備えた合成樹脂製の前記ガイド部材１０があてがわれ、このガイド部材１０は２本のねじ１４を介して前記ボス部５ｂに固定される。そして、前記スライド式ロック片１２は、図４（Ｂ）〜図４（Ｄ）からも明らかなように、前記ガイド部材１０と前記吸込グリル５のガイド溝５ｃとに挟まれて、両者の間でスライド自在に介装される。
【００１７】
前記スライド式ロック片１２がスライドする際、同スライド式ロック片１２のツマミ部１２ｂは、図３（Ｂ）に示す矢印ＡおよびＢのように、手指Ｆで摘むことにより、前記吸込グリル５の桟５ａ，５ａの間に沿ってスライドできるようにした構成になっている。
【００１８】
前記吸込口６を構成して、桟５ａの両端部を接合した前記吸込グリル５の内周部は、図４（Ｂ）〜図４（Ｄ）に示す曲面部５ｄのように曲面形状に形成されており、これによって、該箇所における空気抵抗を減少させて吸込空気を円滑に吸い込めるようになり、また、前記スライド式ロック片１２のツマミ部１２ｂに手指Ｆを掛けやすくなって操作性が良好になる。
【００１９】
ここで、図４（Ａ）〜図４（Ｄ）に基づいて、前記ボス部５ｂに固定された前記ガイド部材１０と、前記吸込グリル５のガイド溝５ｃとに挟まれて両者の間でスライド自在に介装される前記スライド式ロック片１２とについて詳細に説明する。
【００２０】
前記ガイド部材１０は、前記ボス部５ｂに取り付けるための一対の取付部１０ａが設けられており、この取付部１０ａに通した前記ねじ１４を前記ボス部５ｂに螺着して固定される。
【００２１】
前記一対の取付部１０ａの間には、前記スライド式ロック片１２の両側部をガイドするための平行なガイド部１０ｂが突設され、同両ガイド部１０ｂの一端には前記スライド式ロック片１２を所定のスライド位置で位置決めするための位置決め部１０ｃが連続形成され、前記両ガイド部１０ｂの間には凸条部１１が突設されている。
【００２２】
前記凸条部１１は、前記スライド式ロック片１２に設けられた押圧片１３の突起部１３ａが弾性変形により押圧された状態でスライドすることによって、前記スライド式ロック片１２のスライド時に、前記ツマミ部１２ｂにかけた手指Ｆに所定のスライド抵抗感（手応え）をもたせるように構成されている。
【００２３】
また、前記凸条部１１は、図４（Ａ）に示すような凸状の補強部１１ａが連続形成されることによって強度が補強されている。また、前記補強部１１ａは、前記ガイド部１０ｂに接続されることによって同ガイド部１０ｂの強度を補強している。
【００２４】
前記スライド式ロック片１２は、前記係止部４に係脱自在に係止する先端部１２ａ’を有し、前記両ガイド部１０ｂにスライド可能にガイドされるスライド部１２ａと、同スライド部１２ａに連続形成されたツマミ部１２ｂと、前記位置決め部１０ｃに対応する当接部１２ｃと、前記スライド部１２ａおよび前記ツマミ部１２ｂの強度を補強するための補強部１２ｄとを備えるとともに、前記スライド部１２ａに形成された切欠部１３ｂにより前記押圧片１３が構成され、同押圧片１３は前記スライド部１２ａに接続された基端部１３ｃにより弾性変形して、前記凸条部１１に対向して突設された前記突起部１３ａが同凸条部１１を押圧するように構成されている。
【００２５】
図４（Ｂ）は、前記係止部４に前記先端部１２ａ’が係止した状態を示している。
【００２６】
これにより、上述したヒンジ接続により一側が回動可能に接続された前記吸込グリル５は、他側に設けられた前記係止部４に前記スライド式ロック片１２の先端部１２ａ’が係止して、前記化粧パネル２の吸込口６に前記吸込グリル５が取り付けられる。
【００２７】
その際、前記突起部１３ａは前記凸条部１１を押圧した状態でなく離脱した状態になっており、前記係止部４に前記先端部１２ａ’が係止した位置で、前記凸条部１１から前記突起部１３ａが離脱することで前記凸条部１１を押圧しなくなることにより、前記係止部４に前記先端部１２ａ’が正確に係止したことを手応えが変化（減少）したことで確認できる。
【００２８】
また、前記突起部１３ａが前記凸条部１１から離脱した際、同凸条部１１はストッパの機能を有していて、この凸条部１１に前記突起部１３ａが簡単に乗り上がらないようになっていることから、例えば前記送風ファン８用のファンモータによる振動があったとしても、手指Ｆによって前記スライド式ロック片１２をスライドさせるだけの外力が故意に加えられない限り、同スライド式ロック片１２が勝手にスライドしてしまうことはない。
【００２９】
そのため、従来では前記係止部４に前記先端部１２ａ’が係止した状態を保つために、例えば前記スライド式ロック片１２を前記係止部４に向けて付勢するための付勢部材（付勢ばね）を組み込む必要があったが、本発明においては必要がなくなるので、コスト的に有利な構成になるという効果を奏することになる。
【００３０】
図４（Ｃ）は、前記係止部４から前記先端部１２ａ’が離脱する状態を示している。
【００３１】
前記ツマミ部１２ｂを摘んだ手指Ｆで、前記スライド式ロック片１２を矢印Ａのようにスライドさせることにより、前記係止部４から前記先端部１２ａ’が徐々に離脱することになる。
【００３２】
その際、前記押圧片１３の弾性変形により前記突起部１３ａが前記凸条部１１を押圧することで手応えが変化（増加）して、前記係止部４から前記先端部１２ａ’が離脱中であることが確認できる。
【００３３】
なお、前記スライド式ロック片１２を矢印Ａの逆向きにスライドさせている場合であっても、同様に手応えが変化（増加）して、前記係止部４に前記先端部１２ａ’が係止中であることが確認できる。
【００３４】
図４（Ｄ）は、前記係止部４から前記先端部１２ａ’が離脱した状態を示している。
【００３５】
前記ツマミ部１２ｂを摘んだ手指Ｆで、前記スライド式ロック片１２を更に矢印Ａ’のようにスライドさせることにより、前記係止部４から前記先端部１２ａ’が完全に離脱することになる。
【００３６】
その際、前記突起部１３ａは前記凸条部１１を押圧した状態でなく離脱した状態になっており、前記係止部４から前記先端部１２ａ’が離脱した位置で、前記凸条部１１から前記突起部１３ａが離脱することで前記凸条部１１を押圧しなくなることにより、前記係止部４から前記先端部１２ａ’が完全に離脱したことを手応えが変化（減少）したことで確認できる。
【００３７】
なお、図４（Ｄ）に示す前記スライド式ロック片１２の位置で前記当接部１２ｃが前記位置決め部１０ｃに当接することにより、前記スライド式ロック片１２は、それ以上矢印Ａ’方向にスライドしないように位置決めされることになる。
【００３８】
以上説明したように、前記係止部４に対し前記先端部１２ａ’が離脱または係止する途中であって、前記スライド式ロック片１２がスライド中である場合には、前記突起部１３ａが前記凸条部１１を押圧して手応えが変化（増加）した状態になり、また、離脱または係止が完了した時に、前記突起部１３ａが前記凸条部１１から外れて手応えが変化（減少）した状態になることから、離脱または係止したことを手応えにより正確に確認できるので、前記吸込グリル５を開閉する際、前記スライド式ロック片１２のスライドにクリック感をもたせて操作性を高めることができるようにした天井埋込型の空気調和機となる。
【図面の簡単な説明】
【００３９】
【図１】本発明による天井埋込型の空気調和機を示す説明図で、（Ａ）は縦断面図であり、（Ｂ）は要部斜視図である。
【図２】吸込グリルにスライド式ロック片を取り付ける取付状態を示す説明図で、（Ａ）は分解斜視図であり、（Ｂ）は要部平面図である。
【図３】吸込グリルの説明図で、（Ａ）は斜視図であり、（Ｂ）は要部斜視図であり、（Ｃ）は要部平面図である。
【図４】スライド式ロック片およびホルダからなる吸込グリルロック装置の説明図で、（Ａ）は分解斜視図であり、（Ｂ）はロック状態を示す断面図であり、（Ｃ）はロックを解除している状態を示す断面図であり、（Ｄ）はロックを解除した状態を示す断面図である。
【符号の説明】
【００４０】
１  ケーシング本体
２  化粧パネル
３  ヒンジ部
４  係止部
５  吸込グリル
５ａ  桟
５ｂ  ボス部
５ｃ  ガイド溝
５ｄ  曲面部
６  吸込口
７  吹出口
８  送風ファン（ターボファン）
９  熱交換器
１０  ガイド部材
１０ａ  取付部
１０ｂ  ガイド部
１０ｃ  位置決め部
１１  凸条部
１１ａ  補強部
１２  スライド式ロック片
１２ａ（１２ａ’）  スライド部（先端部）
１２ｂ  ツマミ部
１２ｃ  当接部
１２ｄ  補強部
１３  押圧片
１３ａ  突起部
１３ｂ  切欠部
１３ｃ  基端部
１４  ねじ
１５  フィルタ
Ｆ  手指
【図１】
2008064342.tif 000003
【図２】
2008064342.tif 000004
【図３】
2008064342.tif 000005
【図４】
2008064342.tif 000006